(57)【要約】【課題】傾動式の表示パネルを備える車載用表示装置において、表示パネルの移動に伴ってその一部が前方に向けて露出する前面パネルに、ＣＤ、ＤＶＤ、ＭＤ、半導体メモリカード等の複数の記録媒体を挿抜する複数の挿入口を集約化する。【解決手段】前面パネル１０１は、表示部１００の傾動に伴って前方に露出される領域Ｒ１に、ディスク状の記録媒体が挿入される横方向に伸びるディスク用挿入口１０３、１０４が形成されていると共に半導体メモリカードを挿入するカード用挿入口１０７がディスク用挿入口１０３、１０４から横方向に離隔した位置において縦方向に伸長して形成されている。これによれば、ディスク用挿入口１０３、１０４やカード用挿入口１０７を狭小な前方露出領域Ｒ１に集約化できる。【選択図】図１１
2007076595.tif 000002
【特許請求の範囲】
【請求項１】
装置本体の前面を覆うと共に傾動可能に配置された表示部が前記装置本体に対して傾動することにより前記装置本体の前面パネルの一部が前方に向けて露出するように形成された車載用表示装置であって、
前記前面パネルは、前記表示部の傾動に伴って前方に露出される領域に、ディスク状の記録媒体が挿入される横方向に伸びるディスク用挿入口が形成されていると共に半導体メモリカードを挿入するカード用挿入口が前記ディスク用挿入口から横方向に離隔した位置において縦方向に伸長して形成されている、
ことを特徴とする車載用表示装置。
【請求項２】
前記ディスク用挿入口は、前記前面パネルの縦方向に重ねて複数形成されていることを特徴とする請求項１に記載の車載用表示装置。
【請求項３】
前記カード用挿入口は、前記前面パネルの前方に向けて突出すると共に前記表示部の傾動に用いられる案内溝が形成された突出壁部の近傍に並列して形成されていることを特徴とする請求項１又は２に記載の車載用表示装置。
【請求項４】
前記カード挿入口は、運転席に対して遠い側の突出壁部の近傍に形成されていることを特徴とする請求項３に記載の車載用表示装置。
【請求項５】
前記突出壁部には、その一部に前記カード用挿入口へ向けて傾斜する傾斜面が形成されていることを特徴とする請求項３又は４に記載の車載用表示装置。
【請求項６】
前記カード用挿入口の周囲には、前記カード用挿入口へ向けて傾斜する傾斜面が形成されていることを特徴とする請求項３ないし５のいずれかに記載の車載用表示装置。
【請求項７】
前記表示部は、第１及び第２の画像を異なる方向からそれぞれ視認できるように表示可能に形成されていることを特徴とする請求項１ないし６のいずれかに記載の車載用表示装置。
【発明の詳細な説明】
【技術分野】
【０００１】
本発明は、車載用表示装置に関する。
【背景技術】
【０００２】
車載用表示装置においては、表示パネルの面積を広く確保するために、表示パネルを装置本体の前面を覆うと共に移動（傾動）可能に配置した構造のものが知られている。このような車載用表示装置では、装置本体に対して表示パネルを傾動させることにより、装置本体の前面パネルの一部が前方に向けて露出する。そして、露出した前面パネルに形成された各種記録媒体の挿入口により、ＣＤ（コンパクトディスク）、ＤＶＤ（デジタル・バーサタイル・ディスク）、ＭＤ（ミニディスク）、半導体メモリカード等の記録媒体及び内蔵されたＨＤＤ（ハードディスクドライブ）用のコネクタが挿抜される。
一方、共通の表示パネル上で異なる方向からそれぞれ画像を視認できる、いわゆるマルチビュー表示装置としては、例えば、液晶パネルの前に視差バリアを設け、１ピクセルごとにバックライトからの光の進行方向を振り分けることで、左右において異なる情報（画像）を表示できるものが知られている（例えば、特許文献１等参照）。このような表示装置を車両に搭載することにより、運転者がナビゲーション画像を観ている間に助手席の搭乗者がテレビ等の他の画像を観ることが可能となる。
【特許文献１】特開２００５−７８０８０号公報
【発明の開示】
【発明が解決しようとする課題】
【０００３】
ところで、上記したような車載用表示装置の可動式の表示パネルをマルチビュー表示にすると、視差バリアを設けたことによりバックライトの光が視差バリヤで遮断されて画面の輝度が低下する。バックライトの光源数を増やすことにより、
画面の輝度を確保できるが、光源を増やした分だけ表示パネルが厚くなる。このため、表示パネルを傾動させたときに前方に向けて露出する前面パネルの面積は表示パネルの厚みの増加にしたがって狭くなり、特に、縦方向の寸法が短くなる。
前面パネルにおける露出部分の縦方向の寸法が短くなると、ＣＤ、ＤＶＤ、ＭＤ、半導体メモリカード等の記録媒体の挿入口を縦方向に重ねて配列することが困難となる。
また、パネルの厚みの増加に伴って、記録媒体の挿入あるいは排出時に、記録媒体あるいは手が前面パネルと干渉し操作性を阻害する。特に、半導体メモリカードは小型であるため、これを把持する手と前面パネルとが干渉しやすい。
【０００４】
本発明は、上記の問題に鑑みて成されたものであり、その目的とするところは、可動（傾動）式の表示パネルを備える車載用表示装置において、表示部の傾動に伴ってその一部が前方に向けて露出する前面パネルにＣＤ、ＤＶＤ、ＭＤ、半導体メモリカード等の複数の記録媒体の挿入口が集約化された車載用表示装置を提供することにある。
【課題を解決するための手段】
【０００５】
本発明に係る車載用表示装置は、装置本体の前面を覆うと共に傾動可能に設けられた表示部が装置本体に対して傾動することにより装置本体の前面パネルの一部が前方に向けて露出するように形成された車載用表示装置であって、前面パネルは、表示部の傾動に伴って前方に露出される領域に、ディスク状の記録媒体が挿入される横方向に伸びるディスク用挿入口が形成されていると共に半導体メモリカードを挿入するカード用挿入口が前記ディスク用挿入口から横方向に離隔した位置において縦方向に伸長して形成されている、ことを特徴としている。
この構成によれば、カード用挿入口をディスク用挿入口から横方向に離隔させると共にカード用挿入口とディスク用挿入口の形成方向を異ならせることにより、カード用挿入口及びディスク用挿入口を限定された範囲に集約化できる。すなわち、半導体メモリカードは、ディスク状の記録媒体に比べて占有面積が小さくて配置の自由度が高いため、この半導体メモリカードのカード用挿入口の配置及び形成方向を最適化することにより、カード用挿入口及びディスク用挿入口を限定された範囲に集約化できる。
【０００６】
上記構成において、ディスク用挿入口は、前記前面パネルの縦方向に重ねて複数形成されている、構成を採用できる。
この構成によれば、カード用挿入口をディスク用挿入口から離して縦方向に形成することにより、複数のディスク用挿入口の間にカード用挿入口を形成する必要がなく、前面パネルの狭小な露出領域にディスク用挿入口を縦方向に重ねて複数形成することができるディスク用挿入口を縦方向に重ねて形成することが可能となる。
【０００７】
上記構成において、カード挿入口は、運転席に対して遠い側の突出壁部の近傍に形成されている、構成を採用できる。
この構成によれば、運転席側から半導体メモリカードを挿抜操作する場合に、運転席に対して近い側の突出壁部の近傍にカード挿入口があると、突出壁部によりカード挿入口が見え難くなり操作しずらいが、カード挿入口を運転席に対して遠い側の突出壁部の近傍に形成することにより、半導体メモリカードを挿抜操作しやすくなる。特に、マルチビュー表示装置の場合には、表示部が厚くなるため、それに合わせて突出壁部も高くなるので、カード挿入口を運転席に対して遠い側の突出壁部の近傍に形成すると有利である。
【０００８】
上記構成において、カード用挿入口は、前面パネルの前方に向けて突出すると共に表示部の傾動に用いられる案内溝が形成された突出壁部の近傍に並列して形成されている、構成を採用できる。
この構成によれば、半導体メモリカードは比較的寸法が小さく、狭いスペースにおいても挿抜が比較的容易なので、カード用挿入口を突出壁部の近傍に並列して形成することができる。
【０００９】
上記構成において、突出壁部には、その一部にカード用挿入口へ向けて傾斜する傾斜面が形成されている、構成を採用できる。
この構成によれば、突出壁部の近傍においてもカード用挿入口へ向けて傾斜する傾斜面を形成することで、半導体メモリカードの挿入を容易化できる。
【００１０】
上記構成において、カード挿入口の周囲には、カード用挿入口へ向けて傾斜する傾斜面が形成されている、構成を採用できる。
この構成によれば、カード挿入口の周囲に傾斜面を形成することで、半導体メモリカードがこれに案内されて半導体メモリカードの挿入を容易化できる。
【００１１】
上記構成において、表示部は、第１及び第２の画像を異なる方向からそれぞれ視認できるように表示可能に形成されている、構成を採用できる。
この構成によれば、カード挿入口やディスク用挿入口が前面パネルの狭い露出領域に集約化できるので、表示部の厚さが増加するいわゆるデュアルビュー表示パネルを採用することができる。
【発明の効果】
【００１２】
本発明によれば、傾動式の表示部をもつ車載用表示装置において、表示部の傾動に伴って露出する前面パネルの狭小な領域にカード挿入口やディスク用挿入口を集約化できると共に、半導体メモリカードやディスク記録媒体を挿抜する際の操作性を維持あるいは向上できる。
【発明を実施するための最良の形態】
【００１３】
以下、本発明の最良の実施形態について、添付図面を参照しつつ説明する。
図１は本発明の一実施形態に係る車載用マルチビュー表示装置の基本構成を説明するための図である。
この車載用マルチビュー表示装置は、図１に示すように、表示制御部１０、表示部１００等から構成されている。
表示制御部１０は、第１の画像ソース３００Ａから画像データ（画像信号）ＤＴ１が供給されると共に第２の画像ソース３００Ｂから画像データ（画像信号）ＤＴ２が供給されて、これら第１及び第２の画像データＤＴ１，ＤＴ２からなる画像データ（画像信号）ＡＤＴを共通の表示部１００へ出力する。尚、表示制御部１０の具体的な構成については後述する。
また、第１及び第２の画像ソース３００Ａ,３００Ｂは、後述するカメラ、ＴＶ受信部、ＤＶＤ再生部、ＨＤ再生部、ナビゲーション部等の複数のソースで構成される。
【００１４】
表示部１００は、後述するように、液晶パネル、バックライト、視差バリア等から構成されており、第１の画像データＤＴ１に基づく第１の画像ＩＭ１を右方向から観察者ＯＢＲが視認できると共に第２の画像データＤＴ２に基づく第２の画像ＩＭ２を左方向から観察者ＯＢＬが視認できるように共通の表示画面に表示する。尚、表示部１００の具体的な構成については後述する。
【００１５】
図２は本発明の一実施形態に係る車載用表示装置の外観斜視図、図３は車載用表示装置の表示部が傾動している状態を示す斜視図、図４は車載用表示装置の表示パネルの傾動が完了した状態を示す斜視図、及び、図５は本発明の一実施形態に係るの車両への搭載例を示す斜視図である。
図２に示す車載用表示装置の装置本体１００Ａは、車両のダッシュボード部分に内蔵されると共に、表示部１００は、図５に示すように運転席ＤＳと助手席ＡＳとの間に配置される。また、表示部１００には、表示装置を手動で操作するための操作部１５０が設けられている。
【００１６】
この車載用表示装置は、図２に示すように、表示部１００が装置本体１００Ａの前面を覆うと共に、この表示部１００が、図３に示すように、装置本体１００Ａに対して傾動可能に構成されている。そして、表示部１００の傾動動作が完了すると、図４に示すように、装置本体１００Ａの前面パネル１０１の一部（前面パネル１０１の表示部１００により覆われた下側部分を除く領域）が前方に向けて露出する。これにより、前面パネル１０１に形成された後述する各種挿入口を通じてディスク状記録媒体、半導体メモリカード及びコネクタの挿抜が可能となる。尚、前面パネル１０１の構成については後述する。
【００１７】
また、図５に示すケースにおいては、運転席ＤＳに着席した乗員が上記の観察者ＯＢＲとなり、助手席ＡＳに着席した乗員が上記の観察者ＯＢＬとなる。そして、これらの搭乗者は、それぞれ運転席ＤＳ側又は助手席ＡＳ側から表示部１００に表示された異なる第１の画像ＩＭ１及び第２の画像ＩＭ２を同時に観ることができる。
【００１８】
図６ないし図１０は本発明の一実施形態に係る表示装置の具体的な構成を示す図であって、図６は車載用表示装置の機能ブロック図、図７は画像出力部の機能ブロック図、図８は液晶パネルの断面構造及び作用を説明するための図、図９は液晶パネルの正面図、及び図１０はＴＦＴ基板の回路図である。
【００１９】
この車載用表示装置は、図６に示すように、表示部１００加えて、制御部２０、分配回路３０、第１及び第２の画質調整回路５０Ａ，５０Ｂ、画像出力部７０等から構成されている。尚、上記した表示制御部１０は、制御部２０、分配回路３０、第１及び第２の画質調整回路５０Ａ，５０Ｂ、画像出力部７０等から構成される。
【００２０】
制御部２０は、プロセッサ（ＣＰＵ）、インターフェース回路、ＲＯＭ、ＲＡＭ等から構成され、ＲＯＭに記憶されたプログラムに従って表示装置を総合的に制御する。
さらに、制御部２０は、図６に示すように、車両に搭載されて画像や音声を供給する供給源としての、車両の周囲等を撮像するカメラ３１０、音楽や画像を再生するＭＤ（ミニディスク）再生部３２０、アンテナからラジオ放送波を受信するラジオ受信部３３０、アンテナからセレクタ３４１を介してＴＶ放送波を受信するＴＶ受信部３４０、ＣＤ（コンパクトディスク）やＤＶＤ（デジタル・バーサタイル・ディスク）から音楽情報や画像を再生するＣＤ／ＤＶＤ再生部３５０、ＨＤ（ハードディスク）に記録された画像や音楽情報を再生するＨＤ再生部３６０、ＶＩＣＳ情報受信部３７１が受信した道路情報やＧＰＳ情報受信部３７２が受信した地理情報に基づいて地図やルート案内画像を出力するナビゲーション部３７０、半導体メモリカードに記憶された情報を再生する半導体メモリ再生部３８０等と接続されて、これらとの間でデータを授受すると共にこれらをコントロールする。
また、制御部２０には、各種データを記憶するメモリ１４０、表示装置を操作するための操作部１５０、表示装置をリモコン操作するためのリモコン１７１との間で赤外線信号や無線信号を送受するリモコン送受信部１７０、車両に備わるライトスイッチや光センサで構成されて車両内の明るさを検知する明るさ検知センサ１９０、運転席や助手席に設けられる感圧センサ等で構成されて車両の乗員を検出する乗員検知センサ２００等が接続され、制御部２０は、これらから得られる各種データに基づいて各種制御が可能となっている。
【００２１】
分配回路３０は、図６に示すように、上記したカメラ３１０、ＭＤ再生部３２０、ラジオ受信部３３０、ＴＶ受信部３４０、ＣＤ／ＤＶＤ再生部３５０、ＨＤ再生部３６０、ナビゲーション部３７０等から供給される音声データや画像データを、制御部２０からの制御指令に応じて、音声調整回路６０、第１の画質調整回路５０Ａ、あるいは、第２の画質調整回路５０Ｂへ分配する。
音声調整回路６０は、図６に示すように、分配回路３０から供給された音声データを調整してスピーカ６１へ出力する。
【００２２】
第１及び第２の画質調整回路５０Ａ，５０Ｂは、それぞれコントラスト調整部、輝度調整部、色調調整部、ガンマ値調整部等から構成され、制御部２０からの制御指令に応じて、第１及び第２の画像データの画質（コントラスト、輝度、色調、ガンマ値）をそれぞれ調整する。
【００２３】
画像出力部７０は、図７に示すように、第１及び第２の画質調整回路５０Ａ，５０Ｂにおいてそれぞれ画質調整された第１及び第２の画像データがそれぞれ書き込まれる第１及び第２の書込回路７１，７２、ＶＲＡＭ（Video RAM）７３、液晶パネル駆動部７４等から構成されている。
第１及び第２の書込回路７１，は、第１及び第２の画質調整回路５０Ａ，５０Ｂで画質調整された第１及び第２の画像データを合成すべく、ＶＲＡＭ７３の所定アドレスにそれぞれ書き込む。
ＶＲＡＭ７３は、第１及び第２の画像データからなる画像データを保持する。この画像データは、表示部１００の各画素にそれぞれ対応している。
液晶パネル駆動部７４は、後述する液晶パネル１１０を駆動する回路であり、ＶＲＡＭ７３に保持されている画像データに基づいて、液晶表示パネル１１０の対応する画素を駆動する。
【００２４】
表示部１００は、図６に示すように、液晶パネル１１０、液晶パネル１１０の背面側から照明光を当てるバックライト１２０、表示装置を操作する信号を入力するためのタッチパネル１３０等から構成されている。尚、タッチパネル１３０は、図示しないが、透明なシート状に形成されて液晶パネル１１０の前面に貼着される。
【００２５】
液晶パネル１１０は、図８に示すように、バックライト１２０側から順に配置された、偏光板１１１、ＴＦＴ（Thin Film Transistor）基板１１２、液晶層１１３、ＲＧＢの３原色の画素をもつカラーフィルタ基板１１４、視差バリア１１５、ガラス板１１６、偏光板１１７等から構成された周知の構造を有する。
この液晶パネル１１０は、図８及び図９に示すように、例えば、水平方向に８００画素、垂直方向に４８０画素が配列された表示画面を有すると共に、この表示画面には、水平方向において左側表示用画素１１８（以下、助手席側表示用画素１１８ともいう。）と右側表示用画素１１９（以下、運転席側表示用画素１１９ともいう。）とが交互に配列されて構成されている。
【００２６】
視差バリア１１５は、図８及び図９に示すように、ストライプ状に形成されて遮蔽部と透光部を有し、その遮蔽部は隣接する左側表示用画素１１８と右側表示用画素１１９との間に配置される。視差バリア１１５をカラーフィルタ基板１１４の前面に配置することにより、左側表示用画素１１８を透過した照明光は、左側に向かう照明光のみ選択的に視差バリア１１５の透光部を通過し、右側表示用画素１１９を透過した照明光は、右側に向かう照明光のみが選択的に視差バリア１１５の透光部を通過する。これにより、図７に示すように、液晶パネル１１０の右側（運転席側）からは第１の画像ＩＭ１が視認でき、左側（助手席側）からは第２の画像ＩＭ２が視認できるようになっている。
尚、視差バリア１１５は、特開平１０−１２３４６１号公報や特開平１１−８４１３１号公報等に開示されているものと同様のものを使用できる。
【００２７】
ＴＦＴ基１１２は、図１０に示すように、データ線駆動回路ＤＲ１、走査線駆動回路ＤＲ２、垂直方向に配列された走査線ＳＣＬ、水平方向に配列されたデータ線ＤＴＬ、走査線ＳＣＬとデータ線ＤＴＬとの交差する領域毎に形成されたＴＦＴ素子ＥＬに対応して形成された画素電極ＥＰ等を備え、走査線ＳＣＬ及びデータ線ＤＴＬで囲まれた各領域がサブピクセルＳＢＰを構成しており、データ線ＤＴＬに沿う各列のサブピクセルＳＢＰは交互に左側表示用画素１１８と右側表示用画素１１９とに割り当てられる。
データ線駆動回路ＤＲ１は、液晶パネル駆動部７４によりその駆動タイミングを制御されて、画素電極ＥＰへの印加電圧を制御する。
走査線駆動回路ＤＲ２は、液晶パネル駆動部７４によりその駆動タイミングを制御されて、ＴＦＴ素子ＥＬを選択走査する。
【００２８】
メモリ１４０は、例えば、フラッシュメモリ等の電気的書き換え可能な不揮発性メモリ又はバッテリバックアップされた揮発性メモリにより構成されており、制御部２０による制御に必要なデータ等を記憶している。
【００２９】
次に、車載用表示装置の前面パネルの構造について図１１〜図１７を参照して説明する。
ここで、図１１は前面パネルの正面図、図１２は装置本体内の概略構成を示す図、図１３は半導体メモリカードの一例を示す外観斜視図、図１４は図１１に示す円Ａ内のカード用挿入口周辺の拡大図、図１５は図１４のＢ−Ｂ線方向の断面図、図１６は図１４のＣ−Ｃ線方向の断面図、及び図１７は半導体メモリカードをカード用挿入口へ挿入する様子を示す図である。
【００３０】
前面パネル１０１は、図１１に示すように、その横方向における両側部に、前方に向けて突出すると共に表示部１００の傾動に用いられる後述する案内溝が形成された突出壁部１０２Ａ，１０２Ｂが形成されている。
また、前面パネル１０１は、表示部１００の傾動により前方に向けて露出する領域Ｒ１に、ディスク用挿入口としてのＣＤ／ＤＶＤ用挿入口１０３及びＭＤ用挿入口１０４、ＨＤＤ用コネクタ挿入口１０５、カード用挿入部１０６等が形成されている。
【００３１】
突出壁部１０２Ａには、図１５に示すように、表示部１００の傾動機構におけるローラ（図示せず）が挿入される案内溝１０２Ａｔが形成されている。尚、図示しないが、突出壁部１０２Ｂにも同様に案内溝１０２Ａｔに対向するように案内溝が形成されている。
【００３２】
ＣＤ／ＤＶＤ用挿入口１０３は、前面パネル１０１の中央の上端部に横方向に伸張して形成されている。ＣＤあるいはＤＶＤは、ＣＤ／ＤＶＤ用挿入口１０３を通じて、図１３に示す装置本体１００Ａに内蔵されたＣＤ／ＤＶＤ再生部３５０にローディングされる。
【００３３】
ＭＤ用挿入口１０４は、ＣＤ／ＤＶＤ用挿入口１０３の下方において横方向に伸張して形成されており、このＭＤ用挿入口１０４とＣＤ／ＤＶＤ用挿入口１０３とは前面パネル１０１の縦方向に重ねて形成されている。ＭＤは、ＭＤ用挿入口１０４を通じて、図１３に示す装置本体１００Ａに内蔵されたＭＤ再生部３２０にローディングされる。
【００３４】
ＨＤＤ用コネクタ挿入口１０５は、ＣＤ／ＤＶＤ用挿入口１０３の下方において横方向に伸張して形成されており、このＨＤＤ用コネクタ挿入口１０５とＣＤ／ＤＶＤ用挿入口１０３とは前面パネル１０１の縦方向に重ねて形成されている。ＨＤＤ用コネクタ挿入口１０５を通じて、図１３に示す装置本体１００Ａに内蔵されたＨＤＤ（図示せず）に対して情報の書込み、読み出しを行うためのコネクタが装置本体１００Ａに内蔵されたＩＥＥＥコネクタ（図示せず）と接続されて、内部ＬＡＮを経由してＨＤＤとで情報のやり取りが行われる。
【００３５】
カード用挿入部１０６は、図１１及び図１４に示すように、カード用挿入口１０７、傾斜面部１０８、０９等から構成され、カード用挿入口１０７は、ＣＤ／ＤＶＤ用挿入口１０３及びＭＤ用挿入口１０４から横方向に離隔した位置において縦方向に伸長して形成されていると共に、突出壁部１０２Ａの近傍に並列して形成されている。
カード用挿入口１０７には、例えば、図１３に示すような、断面が矩形状のカード状又はスティック状の半導体メモリカードＭＳが挿入される。半導体メモリカードＭＳは、カード用挿入口１０７を通じて、図１３に示す装置本体１００Ａに内蔵された半導体メモリ再生部３８０に電気的に接続される。
【００３６】
カード用挿入部１０６の傾斜面部１０８は、図１４〜図６に示すように、カード用挿入口１０７の周囲に形成されていると共にカード用挿入口１０７に向けて傾斜している。この傾斜面部１０８は、半導体メモリカードＭＳをカード用挿入口１０７に挿入する際に、半導体メモリカードＭＳの先端部と当接することにより、半導体メモリカードＭＳの先端部をカード用挿入口１０７へ導くように作用する。尚、傾斜面部１０８は曲面であっても平面であってもよい。
【００３７】
カード用挿入部１０６の傾斜面部１０９は、突出壁部１０２Ａの一部にカード用挿入口１０７へ向けて傾斜するように形成されている。この傾斜面部１０９は、例えば、図１７に示すように、カード用挿入口１０７へ半導体メモリカードＭＳを指ＦＧを用いて押し込む際に、指ＦＧとの当接により指ＦＧをカード用挿入口１０７の方向へ導くように作用する。尚、傾斜面部１０９は曲面であっても平面であってもよい。
【００３８】
このように、カード用挿入口１０７をＣＤ／ＤＶＤ用挿入口１０３及びＭＤ用挿入口１０４から横方向に離隔した位置に縦方向に伸張して形成することにより、図１２に示したように、ＭＤ再生部３２０、ＣＤ／ＤＶＤ再生部３５０、ＨＤ再生部３６０、半導体メモリ再生部３８０等を装置本体１００Ａの比較的狭小な上側空間に集約化することができる。
すなわち、半導体メモリ再生部３８０は、ＭＤ再生部３２０、ＣＤ／ＤＶＤ再生部３５０、ＨＤ再生部３６０等と比較して占有面積が小さいため、この半導体メモリ再生部３８０の配置方向を他の再生部の横方向に配置すると共にこれらに対して垂直方向に配置することで、これらの再生部の集約化が可能となる。
また、表示部１００の厚さが増加した場合には、図１１に示した前面パネル１０１の前方への露出領域Ｒ１の縦方向の寸法が短くなるが、カード用挿入口１０７を上記のような配置とすることにより、表示部１００により隠蔽されることなく各挿入口が露出されて各種記録媒体やコネクタの挿抜に対応できる。
さらに、カード用挿入口１０７を突出壁部１０２Ａの近傍に並列して形成した場合に、傾斜面部１０８、１０９を形成することにより、カードの挿入の際の操作性を維持することができる。
【００３９】
上記実施形態では、カード用挿入口１０７は、突出壁部１０２Ａの近傍に並列して形成した場合について説明したが、これに限定されるわけではなく、突出壁部１０２Ｂの近傍に並列して形成することも可能である。
【００４０】
上記実施形態では、ディスク状の記録媒体として、ＤＶＤ、ＭＤ、ＣＤ等を例に挙げて説明したが、ディスク状の記録媒体は、光ディスクのほか、光磁気ディスク、磁気ディスクであってもよい。
【００４１】
上記実施形態では、表示部１００に液晶パネルを使用した場合について説明したが、これに限定されるわけではなく、液晶パネル以外のフラットパネルディスレイ、例えば有機ＥＬディスプレイパネル、プラズマディスプレイパネル、冷陰極フラットパネルディスプレイ等を用いることもできる。
【００４２】
上記実施形態は本発明の好適な実施形態である。但し、これに限定されるものではなく、本発明の要旨を逸脱しない範囲内において種々変形実施可能である。
【図面の簡単な説明】
【００４３】
【図１】本発明の一実施形態に係る車載用表示装置の基本構成を説明するための図である。
【図２】車載用表示装置の外観斜視図である。
【図３】車載用表示装置の表示部が傾動した状態を示す外観斜視図である。
【図４】車載用表示装置の表示部が傾動を完了した状態を示す外観斜視図である。
【図５】車載用表示装置の車両への適用例を示す斜視図である。
【図６】車載用表示装置の構成を示す機能ブロック図である。
【図７】表示部の断面構造を示す図である。
【図８】液晶パネルの正面図である。
【図９】ＴＦＴ基板の回路図である。
【図１０】画像出力部の構成を示す機能ブロック図である。
【図１１】前面パネルの正面図である。
【図１２】装置本体内の概略構成を示す図である。
【図１３】半導体メモリカードの一例を示す外観斜視図である。
【図１４】図１１に示す円Ａ内のカード用挿入口周辺の拡大図である。
【図１５】図１４のＢ−Ｂ線方向の断面図である。
【図１６】図１４のＣ−Ｃ線方向の断面図である。
【図１７】半導体メモリカードをカード用挿入口へ挿入する様子を示す図である。
【符号の説明】
【００４４】
１０…表示制御部
２０…制御部
３０…分配回路
５０Ａ，５０Ｂ…第１及び第２の画質調整回路
６０…音声調整回路
７０…画像出力部
１００…表示部
１００Ａ…装置本体
１０１…前面パネル
１０２Ａ，１０２Ｂ…突出壁部
１０２Ａｔ…案内溝
１０３…ＣＤ／ＤＶＤ用挿入口（ディスク用挿入口）
１０４…ＭＤ用挿入口（ディスク用挿入口）
１０５…ＨＤＤ挿入口（ディスク用挿入口）
１０６…カード用挿入口部
１０７…カード用挿入口
１０８…傾斜面部
１０９…傾斜面部
１１０…液晶パネル
１２０…バックライト
１３０…タッチパネル
１４０…メモリ
１５０…操作部
１７０…リモコン送受信部
１９０…明るさ検知センサ
２００…乗員検知センサ
３００Ａ，３００Ｂ…画像ソース
３１０…カメラ
３２０…ＭＤ再生部
３３０…ラジオ受信部
３４０…ＴＶ受信部
３５０…ＣＤ／ＤＶＤ再生部
３６０…ＨＤ再生部
３７０…ナビゲーション部
ＭＳ…半導体メモリカード
【図１】
2007076595.tif 000003
【図２】
2007076595.tif 000004
【図３】
2007076595.tif 000005
【図４】
2007076595.tif 000006
【図５】
2007076595.tif 000007
【図６】
2007076595.tif 000008
【図７】
2007076595.tif 000009
【図８】
2007076595.tif 000010
【図９】
2007076595.tif 000011
【図１０】
2007076595.tif 000012
【図１１】
2007076595.tif 000013
【図１２】
2007076595.tif 000014
【図１３】
2007076595.tif 000015
【図１４】
2007076595.tif 000016
【図１５】
2007076595.tif 000017
【図１６】
2007076595.tif 000018
【図１７】
2007076595.tif 000019